(57)【要約】【課題】短縮ボタン等の図柄変動時間を短縮可能な操作手段を設けたことによって遊技を迅速に行えるという利点を損なうことなく、遊技の興趣の減少や過剰に射幸心を煽ることを防止でき、パチンコ遊技場の経営者にとっての不利益を防止できるパチンコ遊技機を提供する。【解決手段】パチンコ遊技機において、図柄変動開始時から長くとも図柄が確定されるまでの所定期間に限り遊技者が操作可能な図柄変動時間短縮ボタン２４を設け、ボタン２４が操作されると抽選を行い、その抽選の結果が図柄変動時間の変更を行う旨の結果である場合には図柄変動時間が変更され、抽選の結果が図柄変動時間の変更を行わない旨の結果である場合には図柄変動時間が変更されないように構成する。【選択図】　図３
2004024603.tif 000002
【特許請求の範囲】
【請求項１】
複数の図柄を変動表示可能な図柄変動表示装置と、始動入賞口と、大当たりか否かの判定を行なう制御部とを備え、前記始動入賞口に遊技球が入賞することにより前記図柄変動表示装置が図柄の変動を開始し、所定の図柄変動時間経過後に図柄の変動が停止されて図柄が確定され、前記制御部による判定が大当たりであるときに大当たり状態となるパチンコ遊技機において、
図柄変動開始時から長くとも図柄が確定されるまでの所定期間に限り遊技者が操作可能な操作手段を設け、前記操作手段が操作されると、前記図柄変動時間を変更するか否かを決定するための抽選を行い、前記抽選の結果が前記図柄変動時間の変更を行う旨の結果である場合には、前記図柄変動時間が変更され、前記抽選の結果が前記図柄変動時間の変更を行わない旨の結果である場合には、前記図柄変動時間が変更されないように構成したことを特徴とするパチンコ遊技機。
【請求項２】
所定の確率変更条件を満たすことにより、所定の確率変更解除条件を満たすまで前記抽選の当否確率が変更されるように構成したことを特徴とする請求項１記載のパチンコ遊技機。
【請求項３】
前記図柄変動時間の変更とは、前記図柄変動時間を短縮するものであることを特徴とする請求項１記載のパチンコ遊技機。
【請求項４】
前記抽選の結果を表示する表示装置を設けたことを特徴とする請求項１記載のパチンコ遊技機。
【請求項５】
前記制御部が前記図柄変動表示装置における演出の選択を行うように構成され、前記制御部により所定の演出が選択されている場合には、前記抽選の結果を前記図柄変動時間の変更を行わない旨の結果とすることを特徴とする請求項１記載のパチンコ遊技機。
【請求項６】
前記所定の確率変更条件とは、大当たりが発生することであることを特徴とする請求項２記載のパチンコ遊技機。
【請求項７】
前記所定の確率変更解除条件とは、所定回数の図柄変動が行われること、所定時間が経過すること、次の大当たりが発生することのいずれかであることを特徴とする請求項２記載のパチンコ遊技機。
【発明の詳細な説明】
【０００１】
【発明の属する技術分野】
本発明は、始動入賞口に球が入賞すると、複数の図柄が変動表示され、図柄が予め決められた配列に揃って停止した時、遊技者にとって有利な大当たり状態を発生させるパチンコ遊技機に関する。なお、この明細書における「大当たり」とは、特定の入賞口が開口して多くの遊技球が入賞可能な特別遊技状態を意味するものである。
【０００２】
【従来の技術】
従来、特定の始動入賞口に球が入ると、図柄変動表示装置の３列の図柄が上から下に流れるように変動表示され、その後、それらの図柄が停止して、例えば「６６６」のように、予め決められた図柄が揃ったとき、特別遊技状態つまり大当たりとなって、可変入賞装置の大入賞口が開閉動作して、多くの球を入賞させることができるパチンコ遊技機が知られている。なお、図柄が揃うか否か、すなわち、大当たりとなるか否かは、図柄の変動開始時に、パチンコ遊技機に設けられた制御部が乱数を用いて抽選を行うことにより、決定されている。
【０００３】
かかるパチンコ遊技機には、図柄の変動時間を短縮するための短縮ボタンが設けられていることが多く、図柄の変動中に遊技者がその短縮ボタンを押すと、図柄の変動時間が短縮されて早く図柄が停止し、大当たりか否かが早く分かるので、遊技を迅速に行うことができるという利点がある。
【０００４】
【発明が解決しようとする課題】
しかし、上記のような短縮ボタンが設けられているパチンコ遊技機では、遊技者が短縮ボタンを押すと、必ず図柄変動時間が短縮されてしまうため、図柄変動表示装置において図柄変動の開始から図柄変動の終了までに行われるリーチ演出、予告演出、大当たり演出等の種々の演出が間引かれてしまい、遊技の興趣が減少してしまうという問題があった。
【０００５】
また、遊技の進行が過度に早められることにより、過剰に射幸心を煽ってしまうという問題もあった。
【０００６】
さらに、パチンコ遊技場の経営者にとっては、遊技の進行が早まって単位時間当たりに何度も大当たりの抽選が行われることにより、単位時間当たりの大当たり発生確率が高くなって不利となるという問題もあった。
【０００７】
本発明は、上記の点に鑑みてなされたもので、短縮ボタン等の図柄変動時間を短縮可能な操作手段を設けたことによって遊技を迅速に行えるという利点を損なうことなく、遊技の興趣の減少や過剰に射幸心を煽ることを防止でき、パチンコ遊技場の経営者にとっての不利益を防止できるパチンコ遊技機を提供することを目的とする。
【０００８】
【課題を解決するための手段】
本発明のパチンコ遊技機は、複数の図柄を変動表示可能な図柄変動表示装置と、始動入賞口と、大当たりか否かの判定を行なう制御部とを備え、前記始動入賞口に遊技球が入賞することにより前記図柄変動表示装置が図柄の変動を開始し、所定の図柄変動時間経過後に図柄の変動が停止されて図柄が確定され、前記制御部による判定が大当たりであるときに大当たり状態となるパチンコ遊技機において、図柄変動開始時から長くとも図柄が確定されるまでの所定期間に限り遊技者が操作可能な操作手段を設け、前記操作手段が操作されると、前記図柄変動時間を変更するか否かを決定するための抽選を行い、前記抽選の結果が前記図柄変動時間の変更を行う旨の結果である場合には、前記図柄変動時間が変更され、前記抽選の結果が前記図柄変動時間の変更を行わない旨の結果である場合には、前記図柄変動時間が変更されないように構成したことを特徴とする。
【０００９】
ここで、所定の確率変更条件を満たすことにより、所定の確率変更解除条件を満たすまで前記抽選の当否確率が変更されるように構成してもよい。なお、当否確率とは、図柄変動時間の変更を行う旨の結果を得る場合（この場合を当りとする）と図柄変動時間の変更を行わない旨の結果を得る場合（この場合をはずれとする）の確率を言う。
【００１０】
また、前記図柄変動時間の変更とは、前記図柄変動時間を短縮するものであることが好ましい。
【００１１】
また、前記抽選の結果を表示する表示装置を設けてもよい。
【００１２】
また、前記制御部が前記図柄変動表示装置における演出の選択を行うように構成され、前記制御部により所定の演出が選択されている場合には、前記抽選の結果を前記図柄変動時間の変更を行わない旨の結果とすることが好ましい。
【００１３】
また、前記所定の確率変更条件を、大当たりが発生することとすることができる。
【００１４】
また、前記所定の確率変更解除条件を、所定回数の図柄変動が行われること、所定時間が経過すること、次の大当たりが発生することのいずれかとすることができる。
【００１５】
【発明の実施の形態】
以下、本発明の実施の形態を図面に基づいて説明する。図１はパチンコ遊技機の正面図を示している。図１において、１はパチンコ機の木枠であり、木枠１の前には前面枠２が蝶番を介して開閉可能に装着され、前面枠２の前面にはガラス扉５を開閉可能に設けた金枠が取り付けられ、前面枠２の内側に遊技盤３が着脱可能に取り付けられる。また、遊技盤３の背面側に合成樹脂製の機構板がヒンジを介して回動可能に装着される。
【００１６】
ガラス扉５の下側に、前板７が図示しない発射レールや打球杆を覆うように開閉可能に装着され、前板７の前面には打球供給皿６が設けられる。更に、前面枠２の下部には、打球発射装置の一部を構成する打球発射ハンドル９が設けられると共に、打球供給皿６で貯留できなくなった賞球を貯留する下皿８が設けられ、また、図柄変動時間を短縮するための操作手段となる図柄変動時間変更ボタン２４が設けられる。なお、図柄変動時間変更ボタン２４は、図柄変動開始時から長くとも図柄が確定されるまでの所定期間に限り操作可能とされる。ここで、操作可能とは、操作（ここでは押下）したときに操作が有効とされて、後述する抽選処理等が行われる場合を言い、操作不可能とは、押下自体が不可能な場合のみならず、押下は可能であっても操作が無効とされて後述する抽選処理等が行われない場合を含むものとする。
【００１７】
遊技盤３の前面には、中央に、図柄変動表示装置１０が配設される。図柄変動表示装置１０は、カラー液晶表示器等の表示器１０ａを備えており、表示器１０ａは、３列に配置した複数の数字や絵の図柄が上から下に流れるように変動表示され、所定の図柄変動時間経過後、変動が停止されて図柄が確定するように構成される。
【００１８】
表示器１０ａの上方には、保留表示ランプ１５が複数のランプ等を配置して設けられ、保留表示ランプ１５は、始動入賞口１３への入賞による図柄変動時に、さらに始動入賞口１３に入賞した球の数（保留個数）を表示するように構成される。保留表示ランプ１５の上方には、普通図柄表示器１６が設けられる。この普通図柄表示器１６は、盤面上に設けられた通過ゲート４を球が通過し、ゲート検出器がそれを検出したとき、例えば１桁の数値が高速で循環・表示されるように構成される。そして、普通図柄表示器１６の数字変動は、数秒後に停止するが、その停止図柄（数字）が所定の例えば「７」であった場合、後述の始動入賞口１３の羽根部材１３ｃが所定の秒数だけ開放される。
【００１９】
図柄変動表示装置１０の中央位置の下方には、始動入賞口１３が設けられ、図柄変動表示装置１０の両側には、通常入賞口１２が配設され、始動入賞口１３の下側には、可変入賞装置１１が設けられる。始動入賞口１３は開閉可能な羽根部材１３ｃを有し、羽根部材１３ｃは始動入賞口ソレノイドにより開閉駆動され、始動入賞口１３に入賞した球はその内側に配設された始動記憶スイッチ１４（図２参照）により検出される。
【００２０】
可変入賞装置１１には、開閉部材１１ａにより開閉される大入賞口が設けられ、開閉部材１１ａは、電磁ソレノイド等により開閉駆動される。大入賞口の内側には、大入賞口に入賞した球を検出するカウントスイッチ１８が設けられる。また、大入賞口内には、特定入賞口が設けられ、特定入賞口に入賞した球を検出するための特定領域スイッチ１９がその内側に設けられる。これらの入賞口に入賞した入賞球の数をカウントするカウンタがＲＡＭ２２（図２参照）の特定メモリ領域などに設けられ、例えば大入賞口への入賞球のカウント値が９個になると、開閉部材１１ａは閉じられる。なお、開閉部材１１ａの１回の開放が１ラウンドとされ、所定時間内に特定入賞口に入賞すると、ラウンドが更新され、最大で例えば１６ラウンドつまり１６回開閉部材１１ａが開放される。
【００２１】
また、遊技盤３の盤面上には、図柄変動時間を変更するか否かの抽選の経過及び抽選の結果を報知するための報知用ランプ１７が設けられる。
【００２２】
図２に示すように、パチンコ遊技機に設けられた制御基板３０には、制御部であるＣＰＵ２０、図柄変動時間の短縮を行うか否かの抽選を行うための抽選テーブルやゲームのプログラムが記憶された読み出し専用のＲＯＭ２１、連続開閉回数（ラウンド数）等のデータを一時的に記憶する読み書き可能なＲＡＭ２２、及び入出力回路２３が設けられる。
【００２３】
入出力回路２３には、始動記憶スイッチ１４、カウントスイッチ１８、特定領域スイッチ１９、及び、図柄変動時間変更ボタン２４が接続される。始動記憶スイッチ１４は、始動入賞口１３に入賞した球を検知してその検知信号を出力する。カウントスイッチ１８は、大入賞口に入賞した球を検知してその検知信号を出力する。特定領域スイッチ１９は、特定入賞口に入賞した球を検知してその検知信号を出力する。これらのスイッチからの検知信号は、入出力回路２３を介してＣＰＵ２０に取り込まれる。また、図柄変動時間変更ボタン２４が操作されると、その旨の信号が、入出力回路２３を介してＣＰＵ２０に取り込まれる。
【００２４】
また、入出力回路２３には、図柄変動表示装置１０、保留表示ランプ１５、報知用ランプ１７、及び、各種のソレノイド２５が接続される。図柄変動表示装置１０は、ＣＰＵ２０からの制御信号を受取って動作し、表示器１０ａを制御して３列の数字や絵の図柄を上から下に流すように変動表示させると共に、種々の演出を行う。例えば、リーチ信号または大当たり信号を受取った場合、リーチ用の画像表示（すなわちリーチ用演出）を行ない、その後、予め決められた２つの図柄が揃うように図柄を停止させ、リーチ状態とする。そして、大当たり信号を受取った場合には、図柄変動表示装置１０は、さらにリーチ状態から３列の数字や絵の図柄を所定の図柄に揃えて停止させ、大当たり状態を表示する。
【００２５】
また、保留表示ランプ１５は、ＣＰＵ２０からの制御信号に応じて、保留個数に応じた数のランプを点灯させる。報知用ランプ１７は、ＣＰＵ２０からの制御信号に応じて、図柄変動時間の変更抽選の過程及びその結果を表示する。各種ソレノイド２５は、ＣＰＵ２０からの制御信号に応じて、可変入賞装置１１の開閉部材１１ａや始動入賞口１３の羽根部材１３ｃ等を駆動する。
【００２６】
ＣＰＵ２０は、図柄変動時間変更制御、大当たり判定制御、大当たり動作制御、図柄変動時間変更抽選制御等を行う制御部である。ここで、大当たり判定制御とは、遊技中に始動入賞口１３に遊技球が入賞して始動条件が成立すると、乱数発生器から大当たり抽選用の乱数を取得して、大当たり抽選の処理を行うものである。そして、大当たり制御とは、大当たり抽選で大当たりが選択された場合（すなわち、大当たりを示す乱数が取得された場合）、図柄変動表示装置１０やソレノイド２５に大当たり信号を送って大当たり処理を実行させるものである。なお、大当たり処理とは、図柄変動表示装置１０において大当たり演出を行って所定の図柄に揃えて図柄を確定表示させ、可変入賞装置１１の開閉部材１１ａを開閉動作させるものである。また、大当たり抽選において、大当たりではないがリーチ、予告等を示す乱数が取得された場合、ＣＰＵ２０はリーチ信号、予告信号等を図柄変動表示装置１０に送ってリーチ演出、予告演出等を表示させる。
【００２７】
また、図柄変動時間変更抽選制御とは、図柄変動時間変更ボタン２４から操作された旨の信号を受取ると、抽選テーブルから変更抽選用の数値を取得して、図柄変動時間の変更抽選を行うものである。そして、図柄変動時間変更制御とは、図柄変動時間の変更抽選で当りの数値が選択された場合、図柄変動表示装置１０に制御信号を送って図柄変動時間の短縮制御を行うものである。
【００２８】
次に、上記構成のパチンコ遊技機の動作を図３のフローチャートを参照して説明する。パチンコゲームの遊技中に、遊技球が始動入賞口１３に入賞すると、始動記憶スイッチ１４がこれを検出し、始動入賞信号をＣＰＵ２０に送る。すると、ＣＰＵ２０は、乱数発生器から大当たり抽選用の乱数を取得して大当たり抽選を行うとともに、図柄変動表示装置１０に制御信号を送って図柄の変動表示を開始させる（図３のＳ１００参照）。なお、大当たり抽選の結果、大当たりが選択された場合には大当たり信号が、リーチが選択された場合にはリーチ信号が、予告が選択された場合には予告信号が、それぞれ図柄変動表示装置１０に送られる。
【００２９】
次に、ＣＰＵ２０は、操作手段である図柄変動時間変更ボタン２４が操作（ここでは押下）されると、すなわち、図柄変動時間変更ボタン２４から操作された旨の信号を受取ると、操作手段の操作有りと判断して（Ｓ１０１）、ＲＯＭ２１に記憶されている抽選テーブルから変更抽選用の数値を取得する抽選処理を実行する（Ｓ１０２）。そして、ＣＰＵ２０は、取得した数値が当りの数値である場合、すなわち、抽選結果が当り態様である場合（Ｓ１０３）、図柄変動時間の変更（ここでは短縮）制御を行う（Ｓ１０４）。すなわち、例えば通常の図柄変動時間が１０秒とされている場合、これを例えば７秒に短縮し、図柄変動開始から７秒経過時に図柄変動表示装置１０に図柄の変動を停止させる制御信号を送る。図柄変動表示装置１０は、その制御信号を受取ると、表示器１０ａにおける図柄の変動を停止する（Ｓ１０６）。
【００３０】
なお、図柄変動表示装置１０は、ＣＰＵ２０から大当たり信号、リーチ信号、または、予告信号が送られている場合には、それぞれ、所定の大当たり演出、リーチ演出、または、予告演出を表示するが、これらの演出は図柄変動時間の終期に行われるので、図柄変動時間が短縮された場合にはカットされることとなる。
【００３１】
一方、ＣＰＵ２０は、抽選結果が当り態様でない場合（Ｓ１０３）、図柄変動時間を変更せず、通常の図柄変動時間のままで図柄変動表示装置１０を制御する（Ｓ１０５）。したがって、大当たり演出等はカットされず、表示されることとなる。
【００３２】
なお、図柄変動中に操作手段が操作されなかった場合には（Ｓ１０１）、通常の図柄変動時間のままで図柄変動表示装置１０が制御され（Ｓ１０５）、大当たり演出等が表示されることとなる。
【００３３】
このように、操作手段が操作されても、抽選結果が当り態様でなければ、図柄変動時間は短縮されず、大当たり演出等がカットされないので、遊技者は種々の演出を見ることができ、遊技の興趣の減少を防止できる。また、遊技の進行が過剰に早められることがなくなるので、過剰に射幸心を煽ることを防止できる。さらに、パチンコ遊技場の経営者にとっては、単位時間当たりの大当たり発生確率が上昇することによる不利益を防止できる。一方、抽選結果が当り態様であれば、図柄変動時間が短縮されるので、遊技を適度に迅速に行うことができる。
【００３４】
次に、図４のフローチャートに基づいて、ＲＯＭ２１に記憶されている高確率と低確率の２つの抽選テーブルを用いる他の実施形態について説明する。ＣＰＵ２０は、例えば大当たりの発生（すなわち、大当たり抽選において大当たりが選択される）等の所定の確率変更条件が成立すると（図４のＳ２００参照）、抽選テーブルとして高確率抽選テーブルを用いることとする（Ｓ２０１）。ここで、高確率抽選テーブルでは、当りとはずれの比率が９対１とされている。
【００３５】
次に、始動条件が成立する（すなわち、遊技球が始動入賞口１３に入賞し、始動記憶スイッチ１４がこれを検出して、始動入賞信号をＣＰＵ２０に送る）と（Ｓ２０２）、ＣＰＵ２０は、図柄変動表示装置１０に制御信号を送って図柄の変動を開始させる。そして、ＣＰＵ２０は、操作手段の操作がされる（すなわち、図柄変動時間変更ボタン２４が押下され、図柄変動時間変更ボタン２４から操作された旨の信号を受取る）と（Ｓ２０３）、高確率抽選テーブルを用いて抽選処理を実行する（Ｓ２０４）。そして、ＣＰＵ２０は、抽選結果が当り態様である場合（Ｓ２０９）、図柄変動時間の短縮制御を行う（Ｓ２１０）。高確率抽選テーブルを用いれば、９／１０の確率で当りとなり、図柄変動時間が短縮されることとなる。
【００３６】
一方、例えば大当たり抽選において大当たりが選択されなかった場合等、所定の確率変更条件が成立しなかった場合には（Ｓ２００）、抽選テーブルとして低確率抽選テーブルを用いることとする（Ｓ２０５）。ここで、低確率抽選テーブルでは、当りとはずれの比率が５対５とされている。そして、始動条件が成立すると（Ｓ２０６）、ＣＰＵ２０は、図柄変動表示装置１０に制御信号を送って図柄の変動を開始させ、操作手段の操作がされると（Ｓ２０７）、低確率抽選テーブルを用いて抽選処理を実行する（Ｓ２０８）。そして、ＣＰＵ２０は、抽選結果が当り態様である場合（Ｓ２０９）、図柄変動時間の短縮制御を行う（Ｓ２１０）。低確率抽選テーブルを用いれば、１／２の確率で当りとなり、図柄変動時間が短縮されることとなる。
【００３７】
なお、ＣＰＵ２０は、操作手段の操作がない場合には（Ｓ２０３、Ｓ２０７）、通常の図柄変動時間だけ図柄を変動させ（Ｓ２１１）、また、抽選処理において抽選結果が当り態様でなかった場合も（Ｓ２０９）、通常の図柄変動時間だけ図柄を変動させる通常図柄変動制御を行う（Ｓ２１１）。
【００３８】
そして、ＣＰＵ２０は、例えば高確率抽選テーブルへの移行（Ｓ２０１）または低確率抽選テーブルへの移行（Ｓ２０５）から所定時間経過等の所定の確率変更解除条件が満たされると（Ｓ２１２）、抽選テーブルとして低確率抽選テーブルを用いることとする（Ｓ２１３）。
【００３９】
このように、所定の確率変更条件が成立することにより、高確率抽選テーブルへの移行が行われるので、図柄変動時間が短縮される確率が高くなり、遊技者は操作手段が効き易くなったように感じる。すなわち、常に同じ確率で抽選を行う場合に比べ変化に富むこととなり、興趣に富んだパチンコ遊技機を提供することができる。
【００４０】
なお、本発明は上記実施例に限定されるものではなく、例えば、所定の確率変更解除条件として、所定時間が経過することの他、所定回数の図柄変動が行われることや、次の大当たりが発生することを条件としてもよい。また、所定の確率変更条件として、大当たりが発生すること以外の条件を用いても勿論よい。
【００４１】
また、図柄変動時間を変更するか否かを決定するための抽選の結果を表示する表示装置を設けてもよい。例えば、そのような表示装置として報知用ランプ１７を用いることとし、抽選の過程では報知用ランプ１７に○×を交互に表示し、抽選の結果当りの場合には○を確定表示し、はずれの場合には×を確定表示することとしてもよい。
【００４２】
また、ＣＰＵ２０により大当たり演出、リーチ演出、予告演出等の所定の演出が選択されている場合（すなわち、大当たり、リーチ、予告等を示す乱数が取得されている場合）には、抽選の結果を強制的に図柄変動時間の変更を行わない旨の結果とするように構成してもよい。そうすれば、図柄変動表示装置１０において行われる種々の演出がカットされないので、遊技の興趣の減少を防止することができる。
【００４３】
また、図柄変動時間の変更とは、図柄変動時間の短縮に限らず、図柄変動時間の延長であってもよい。
【００４４】
また、操作手段として図柄変動時間変更ボタン２４以外のものを設けても勿論よい。
【００４５】
すなわち、特許請求の範囲を逸脱しない範囲で、本発明は種々の実施形態を採り得る。
【００４６】
【発明の効果】
本発明のパチンコ遊技機は、図柄変動開始時から長くとも図柄が確定表示されるまでの所定期間に限り遊技者が操作可能な操作手段を設け、操作手段が操作されると図柄変動時間を変更するか否かを決定するための抽選を行い、抽選の結果が図柄変動時間の変更を行う旨の結果である場合には、図柄変動時間が変更され、抽選の結果が図柄変動時間の変更を行わない旨の結果である場合には、図柄変動時間が変更されないように構成したことを特徴とする。したがって、操作手段を操作しても、抽選の結果によっては図柄変動時間が変更されない場合が生じ、かかる場合には、予告演出、リーチ演出等の種々の演出が間引かれることなく表示されるので、遊技の興趣の減少を防止できる。また、遊技の進行が過剰に早められることがなくなるので、過剰に射幸心を煽ることを防止できる。さらに、パチンコ遊技場の経営者にとっては、単位時間当たりの大当たり発生確率が上昇することによる不利益を防止できる。一方、抽選の結果が図柄変動時間の変更を行う旨のものであれば、図柄変動時間が変更されるので、遊技を適度に迅速に行うことができる。
【００４７】
また、所定の確率変更条件を満たすことにより、所定の確率変更解除条件を満たすまで抽選の当否確率が変更されるように構成すれば、常に同じ確率で抽選を行う場合と比べて変化に富むこととなり、興趣に富んだパチンコ遊技機を提供することができる。
【００４８】
また、抽選の結果を表示する表示装置を設ければ、遊技者は抽選の結果を視覚的に知ることができる。
【００４９】
また、制御部により所定の演出が選択されている場合には、抽選の結果を図柄変動時間の変更を行わない旨の結果とすれば、予告演出、リーチ演出等の種々の演出が間引かれることなく表示されるので、遊技の興趣の減少を防止できる。
【図面の簡単な説明】
【図１】本発明の一実施形態を示すパチンコ遊技機の正面図である。
【図２】パチンコ遊技機の制御系のブロック図である。
【図３】パチンコ遊技機の動作を示すフローチャートである。
【図４】当否確率が変更される場合のパチンコ遊技機の動作を示すフローチャートである。
【符号の説明】
１０−図柄変動表示装置
１１−可変入賞装置
１３−始動入賞口
１７−報知用ランプ（表示装置）
２０−ＣＰＵ（制御部）
２４−図柄変動時間変更ボタン（操作手段）
【図１】
2004024603.tif 000003
【図２】
2004024603.tif 000004
【図３】
2004024603.tif 000005
【図４】
2004024603.tif 000006